(57)【要約】【課題】刈取穀稈の全稈を搬送する穀稈搬送装置において、下手側輪体と無端回動チェーンとの間に刈取穀稈等が挟み込まれることがあっても、部材の変形や破損等が生じ難いようにすることが望まれていた。【解決手段】刈取部にて刈取られた刈取穀稈の全稈を機体後方に向けて搬送する穀稈搬送装置に、下手側回転軸５４に備えられた複数の下手側輪体５６と、上手側回転軸５５に備えられた上手側輪体５７とにわたって複数の無端回動チェーン５９が巻回され、上手側回転軸５５に搬送駆動用の動力が伝達され、且つ、上手側輪体５７が上手側回転軸５５に一体回転可能に支持され、複数の下手側輪体５６が、各別に、下手側回転軸５４に対して相対回転可能に支持されている。【選択図】図３
2019146517.tif 000002
【特許請求の範囲】
【請求項１】
機体前部に設けられた刈取部と、
前記刈取部の後部に接続され、前記刈取部にて刈取られた刈取穀稈の全稈を機体後方に向けて搬送する穀稈搬送装置が備えられ、
前記穀稈搬送装置に、
穀稈搬送用の搬送ケースと、前記搬送ケースの搬送方向下手側に架設された横向きの下手側回転軸と、前記下手側回転軸の軸芯方向に間隔をあけて前記下手側回転軸に備えられた複数の下手側輪体と、前記搬送ケースの搬送方向上手側に架設された横向きの上手側回転軸と、前記上手側回転軸に備えられた上手側輪体と、前記下手側輪体と前記上手側輪体とにわたって巻回されるとともに横方向に間隔をあけて備えられた複数の無端回動チェーンと、複数の前記無端回動チェーンにわたって横向きに架設される複数の搬送部材とが備えられ、
前記上手側回転軸に搬送駆動用の動力が伝達され、且つ、前記上手側輪体が前記上手側回転軸に一体回転可能に支持され、
複数の前記下手側輪体が、各別に、前記下手側回転軸に対して相対回転可能に支持されているコンバイン。
【請求項２】
前記下手側輪体が、外周部に複数の噛み合い爪を備えたスプロケットにて構成されている請求項１に記載のコンバイン。
【請求項３】
前記刈取部の後方箇所における前記穀稈搬送装置の前端部の横方向一方側の箇所に、横向きの伝動軸が備えられ、
前記下手側回転軸の横方向一方側の軸端部に前記搬送ケースの横方向一方側の側壁部から外方に突出する突出部が備えられ、
前記下手側回転軸の横方向他方側の軸端部に伝達された動力を、前記突出部から前記伝動軸に伝達する動力伝達機構と、
前記動力伝達機構によって前記伝動軸に伝達される動力を、前記刈取部と前記上手側回転軸とに分岐伝達する動力分岐部とが備えられている請求項１又は２に記載のコンバイン。
【請求項４】
前記動力分岐部は、
横向きの中継伝動軸と、前記伝動軸から前記中継伝動軸に動力を伝達する第一無端回動体と、前記中継伝動軸から前記上手側回転軸に動力を伝達する第二無端回動体とを有している請求項３に記載のコンバイン。
【請求項５】
前記中継伝動軸が、前記搬送ケースに対して、横向き姿勢を維持しながら搬送方向の位置を変更調節可能に支持されている請求項４に記載のコンバイン。
【請求項６】
前記上手側回転軸が、前記搬送ケースに対して、横向き姿勢を維持しながら搬送方向の位置を変更調節可能に支持されている請求項１から５のいずれか１項に記載のコンバイン。
【請求項７】
複数の前記無端回動チェーンに作用するテンション機構が備えられ、
前記テンション機構は、テンション操作力を変更調整可能であり、且つ、前記テンション操作力を変更した状態で状態固定可能である請求項１から６のいずれか１項に記載のコンバイン。
【請求項８】
前記上手側回転軸の外周部に同芯円上に位置する中空円筒形の筒部を備えたドラムが、前記上手側回転軸と一体回転可能に設けられている請求項１から７のいずれか１項に記載のコンバイン。
【請求項９】
前記上手側輪体が、外周部に複数の噛み合い爪を備え、横方向に間隔をあけて設けられた複数のスプロケットにて構成され、
前記ドラムには、複数の前記上手側輪体のうち前記搬送ケースの横方向両側の側壁部に近接する横方向両側の前記上手側輪体よりも横方向外方側に位置する軸端側ドラムと、横方向両側の前記上手側輪体よりも横方向中央側に位置する中央側ドラムとが備えられ、
複数の前記上手側輪体の夫々と前記中央側ドラムとが近接する箇所に、前記上手側輪体と前記中央側ドラムの端部とが前記上手側回転軸の軸芯方向に重なり合う重合部が形成されている請求項８に記載のコンバイン。
【発明の詳細な説明】
【技術分野】
【０００１】
本発明は、機体前部の刈取部にて刈取られた刈取穀稈を機体後方に向けて搬送する穀稈搬送装置が備えられているコンバインに関する。
【背景技術】
【０００２】
従来のコンバインでは、穀稈搬送装置は、穀稈搬送用の搬送ケースにおける搬送方向上手側に横向きの上手側回転軸が備えられ、搬送方向下手側に横向きの下手側回転軸が備えられる。上手側回転軸に備えられた上手側輪体としての一対の上手側スプロケットと、下手側回転軸に備えられた下手側輪体としての一対の下手側スプロケットとに亘って一対の無端回動チェーンが巻回され、下手側回転軸に動力が伝達される。下手側回転軸には、一対の下手側スプロケットが一体的に駆動回転される状態で外嵌され、一対の無端回動チェーンに亘って架設された搬送部材によって、刈取穀稈が係止搬送される構成となっていた。上手側スプロケットは、無端回動チェーンにより従動して回転するように、上手側回転軸の軸芯周りで回転可能に支持されていた（例えば、特許文献１参照）。
【先行技術文献】
【特許文献】
【０００３】
【特許文献１】特開２０１６−２２０６７３号公報
【発明の概要】
【発明が解決しようとする課題】
【０００４】
上記従来構成では、下手側回転軸に動力が伝達され、一対の無端回動チェーンが回動すると、各無端回動チェーンに亘って架設された搬送部材によって下側の移動経路部分において刈取穀稈が係止搬送される。そして、搬送終端部まで刈取穀稈が搬送されたのち、下手側スプロケットと無端回動チェーンとの間に刈取穀稈が挟まれて下手側スプロケットと共に回転することがある。
【０００５】
このとき、挟み込まれた刈取穀稈によって無端回動チェーンが下手側スプロケットの径方向外方に押し上げられて、所定ピッチ間隔で設けられた係合用の噛み合い爪が本来、無端回動チェーンと噛み合うべき位置から周方向に位置ずれする、いわゆる歯飛びを起してしまうことがある。一対の下手側スプロケットは一体的に回転駆動されるので、一対の下手側スプロケットのうちの一方だけに歯飛びが生じると、一対の無端回動チェーンにわたって取り付けられている搬送部材が搬送方向に対して傾斜した姿勢になり、無端回動チェーンと搬送部材との取付部に偏応力が作用し、変形や破損の虞がある。
【０００６】
そこで、刈取穀稈の全稈を搬送する穀稈搬送装置において、下手側輪体と無端回動チェーンとの間に刈取穀稈等が挟み込まれることがあっても、部材の変形や破損等が生じ難いようにすることが望まれていた。
【課題を解決するための手段】
【０００７】
本発明に係るコンバインの特徴構成は、
機体前部に設けられた刈取部と、
前記刈取部の後部に接続され、前記刈取部にて刈取られた刈取穀稈の全稈を機体後方に向けて搬送する穀稈搬送装置が備えられ、
前記穀稈搬送装置に、
穀稈搬送用の搬送ケースと、前記搬送ケースの搬送方向下手側に架設された横向きの下手側回転軸と、前記下手側回転軸の軸芯方向に間隔をあけて前記下手側回転軸に備えられた複数の下手側輪体と、前記搬送ケースの搬送方向上手側に架設された横向きの上手側回転軸と、前記上手側回転軸に備えられた上手側輪体と、前記下手側輪体と前記上手側輪体とにわたって巻回されるとともに横方向に間隔をあけて備えられた複数の無端回動チェーンと、複数の前記無端回動チェーンにわたって横向きに架設される複数の搬送部材とが備えられ、
前記上手側回転軸に搬送駆動用の動力が伝達され、且つ、前記上手側輪体が前記上手側回転軸に一体回転可能に支持され、
複数の前記下手側輪体が、各別に、前記下手側回転軸に対して相対回転可能に支持されている点にある。
【０００８】
本発明によれば、上手側輪体が搬送駆動用の動力によって回動駆動され、その動力により無端回動チェーンが回動されて刈取穀稈が搬送方向に沿って搬送される。下手側輪体の近くまで搬送された刈取穀稈が、複数の下手側輪体のうちのいずれかの下手側輪体と無端回動チェーンとの間に挟み込まれて歯飛びを起こすことがあっても、その下手側輪体は、他の下手側輪体と強制的に同期回転するのではなく、下手側回転軸に対して相対回転しながら位置ずれを吸収することが可能である。
【０００９】
その結果、搬送部材は、斜め姿勢になることなく元の適正な状態に復帰した状態で、戻り経路に沿って搬送方向上手側に向けて移動することができ、搬送部材、無端回動チェーン、下手側張設用輪体等に無理な力が掛かって変形したり、破損したりすることを回避することができる。
【００１０】
従って、穀稈搬送装置において、下手側輪体と無端回動チェーンとの間に刈取穀稈等が挟み込まれることがあっても、部材の変形や破損等が生じ難いようにすることが可能となった。
【００１１】
本発明においては、前記下手側輪体が、外周部に複数の噛み合い爪を備えたスプロケットにて構成されていると好適である。
【００１２】
本構成によれば、穀稈搬送装置の搬送方向下手側において、無端回動チェーンがスプロケットの複数の噛み合い爪に噛み合い係合しながら巻回案内されるので、抜け外れるおそれが少なく確実に下手側輪体の外周部に沿う円弧状の経路を通過することができ、良好な搬送状態を維持することができる。
【００１３】
本発明においては、
前記刈取部の後方箇所における前記穀稈搬送装置の前端部の横方向一方側の箇所に、横向きの伝動軸が備えられ、
前記下手側回転軸の横方向一方側の軸端部に前記搬送ケースの横方向一方側の側壁部から外方に突出する突出部が備えられ、
前記下手側回転軸の横方向他方側の軸端部に伝達された動力を、前記突出部から前記伝動軸に伝達する動力伝達機構と、
前記動力伝達機構によって前記伝動軸に伝達される動力を、前記刈取部と前記上手側回転軸とに分岐伝達する動力分岐部とが備えられていると好適である。
【００１４】
本構成によれば、機体に備えられた原動部からの動力が上手側回転軸を介して動力伝達機構に伝達される。そして、動力伝達機構に伝達された動力は、動力分岐部において分岐されて、伝動軸と上手側回転軸とに夫々伝達される。
【００１５】
原動部に近い位置にある下手側回転軸を利用して、刈取部に対して効率よく動力伝達することができ、しかも、そのような刈取部に対する伝動系の途中から分岐させて上手側回転軸に動力を伝達することができる。その結果、例えば、上手側回転軸に対する伝動系を刈取部に対する伝動系とは別に独立して設ける構成に比べて、簡素な構成の伝動構造により上手側回転軸を駆動することができる。
【００１６】
本発明においては、
前記動力分岐部は、
横向きの中継伝動軸と、前記伝動軸から前記中継伝動軸に動力を伝達する第一無端回動体と、前記中継伝動軸から前記上手側回転軸に動力を伝達する第二無端回動体とを有していると好適である。
【００１７】
本構成によれば、伝動軸から第一無端回動体を介して中継伝動軸に動力が伝達され、中継伝動軸から第二無端回動体を介して上手側回転軸に伝達される。このように中継伝動軸を介在させることにより、伝動軸と上手側回転軸とが同一軸芯上に位置していなくても良好に動力を伝達することができる。
【００１８】
本発明においては、前記中継伝動軸が、前記搬送ケースに対して、横向き姿勢を維持しながら搬送方向の位置を変更調節可能に支持されていると好適である。
【００１９】
本構成によれば、中継伝動軸の搬送方向の位置を変更調節することにより、第一無端回動体の張り具合を調整することができる。従って、伝動軸から中継伝動軸への動力伝達を良好に行うことができる。
【００２０】
本発明においては、
前記上手側回転軸が、前記搬送ケースに対して、横向き姿勢を維持しながら搬送方向の位置を変更調節可能に支持されていると好適である。
【００２１】
本構成によれば、中継伝動軸を位置固定状態にしておき、上手側回転軸を搬送方向に沿って位置変更させることにより、第二無端回動体の張り具合を調整することができる。従って、中継伝動軸から上手側回転軸への動力伝達を良好に行うことができる。
【００２２】
本発明においては、
複数の前記無端回動チェーンに作用するテンション機構が備えられ、
前記テンション機構は、テンション操作力を変更調整可能であり、且つ、前記テンション操作力を変更した状態で状態固定可能であると好適である。
【００２３】
本構成によれば、テンション機構のテンション操作力を変更することにより、無端回動チェーンの張り具合を調整することができる。又、テンション機構は、テンション操作力を穀稈搬送に適した状態に変更したのち、その状態を固定しておくことで、良好に穀稈を搬送することができる。
【００２４】
本発明においては、
前記上手側回転軸の外周部に同芯円上に位置する中空円筒形の筒部を備えたドラムが、前記上手側回転軸と一体回転可能に設けられていると好適である。
【００２５】
穀稈搬送装置の搬送方向上手側は、刈取部から刈取穀稈が搬送されてくるので、例えば、小径の上手側回転軸が露出していると、刈取穀稈が上手側回転軸に巻き付いて早期に搬送詰りを起してしまうおそれがある。そこで、本構成では、上手側回転軸の外周部に上手側回転軸よりも大径のドラムを同芯円上に位置する状態で設ける構成とした。このように大径のドラムを設けることで、小径の上手側回転軸に比べて刈取穀稈が巻付き難いものとなり、早期の搬送詰りを回避して良好な搬送状態を維持し易い。
【００２６】
本発明においては、
前記上手側輪体が、外周部に複数の噛み合い爪を備え、横方向に間隔をあけて設けられた複数のスプロケットにて構成され、
前記ドラムには、複数の前記上手側輪体のうち前記搬送ケースの横方向両側の側壁部に近接する横方向両側の前記上手側輪体よりも横方向外方側に位置する軸端側ドラムと、横方向両側の前記上手側輪体よりも横方向中央側に位置する中央側ドラムとが備えられ、
複数の前記上手側輪体の夫々と前記中央側ドラムとが近接する箇所に、前記上手側輪体と前記中央側ドラムの端部とが前記上手側回転軸の軸芯方向に重なり合う重合部が形成されていると好適である。
【００２７】
本構成によれば、刈取部から送られてくる刈取穀稈を搬送始端部にて掻き込むときに、上手側輪体と中央側ドラム軸との隙間に、刈取穀稈が挟み込まれるおそれが少ないものとなり、この箇所に穀稈が滞留して搬送詰りを起すことを回避し易いものにできる。刈取部から送られてくる刈取穀稈は、横方向中央側に集められた状態で搬入され易いものであり、このような刈取穀稈の詰りを防止するようにしている。
【図面の簡単な説明】
【００２８】
【図１】コンバインの全体側面図である。
【図２】コンバインの全体平面図である。
【図３】穀稈搬送装置の横断平面図である。
【図４】穀稈搬送装置の左側面図である。
【図５】穀稈搬送装置の右側面図である。
【図６】穀稈搬送装置の搬送下手側の横断平面図である。
【図７】穀稈搬送装置の搬送上手側の横断平面図である。
【図８】下手側回転軸の組付け状態を示す一部切り欠き平面図である。
【図９】下手側回転軸の組付け状態を示す一部切り欠き平面図である。
【図１０】穀稈搬送装置の搬送上手側の斜視図である。
【図１１】作物案内部材の側面図である。
【図１２】作物案内部材の斜視図である。
【図１３】クローラ走行装置の縦断正面図である。
【図１４】クローラ走行装置の縦断正面図である。
【発明を実施するための形態】
【００２９】
以下、本発明に係るコンバインの実施形態を図面に基づいて説明する。この実施形態で、機体の前後方向を定義するときは、作業状態における機体進行方向に沿って定義し、機体の左右方向を定義するときは、機体進行方向視で見た状態で左右を定義する。すなわち、図１，２に符号（Ｆ）で示す方向が機体前側、図１，２に符号（Ｂ）で示す方向が機体後側である。図２に符号（Ｌ）で示す方向が機体左側、図２に符号（Ｒ）で示す方向が機体右側である。
【００３０】
〔全体構成〕
図１，２に、本発明に係るコンバインを示している。このコンバインは、走行機体１と、走行機体１の前方側に位置して、走行に伴って植立穀稈を刈り取り、刈り取った刈取穀稈の全稈を後方に搬送する刈取搬送部２とを備えている。走行機体１は、左右一対のクローラ走行装置３と、クローラ走行装置３で支持される機体フレーム４とを備えている。機体フレーム４の前部に刈取搬送部２が昇降可能に連結されている。走行機体１の前部右側にはキャビン５にて覆われた運転部６が備えられ、運転部６の下方には、エンジン等を含む原動部（図示せず）が備えられている。走行機体１の後部には、刈取作物を脱穀する脱穀装置８及び脱穀処理にて得られた穀粒を貯留する穀粒タンク９が機体左右方向に並ぶ状態で備えられている。運転部６には、運転座席１０や複数の操作具等が備え付けられている。
【００３１】
刈取搬送部２には、植立穀稈を刈り取る刈取部１１と、刈取部１１の後部に接続され、刈取部１１にて刈取られた刈取穀稈の全稈を機体後方に向けて搬送する穀稈搬送装置１２とが備えられている。刈取部１１には、植立穀稈を刈取対象と非刈取対象に分ける左右一対のデバイダ１４、植立穀稈を掻き込む掻込リール１５、植立穀稈の株元を切断するバリカン型の刈取装置１６、刈取穀稈を刈幅方向中央側に寄せ集めるオーガ１７等が備えられている。穀稈搬送装置１２については後で説明する。
【００３２】
脱穀装置８の上部には、扱室１９が形成されている。扱室１９には、扱胴２０が設けられている。扱胴２０は、機体前後方向に延びる軸芯周りで回転可能である。扱胴２０の下方には、受網２１が設けられている。脱穀装置８の下部には、選別対象物を機体後方に移送しながら篩い選別する揺動選別装置２２や、揺動選別装置２２に選別風を送風する唐箕２３、単粒化した穀粒（一番物）を回収する一番回収部２４、枝梗付き穀粒等（二番物）を回収する二番回収部２５が設けられている。受網２１を漏下した脱穀処理物は、これらによって穀粒と排ワラ屑等に選別される。脱穀装置８の機体後部には、排ワラ屑を細断処理して下方外方に排出する排ワラ細断装置２６が備えられている。
【００３３】
図１，２に示すように、穀粒タンク９の機体前部側で且つ脱穀装置８側の右横側箇所に、脱穀装置８の下部で回収された穀粒を穀粒タンク９の上部に搬送するバケットコンベア式の揚穀装置２７が備えられている。選別処理にて得られた穀粒は、一番回収部２４により脱穀装置８の右横側外方に搬送されたのち、揚穀装置２７にて上方に搬送されて穀粒タンク９に供給される。
【００３４】
穀粒タンク９の後部には、その内部に貯留されている穀粒を外部に排出する穀粒排出装置２８が備えられている。穀粒排出装置２８は、穀粒を上方に搬送する縦スクリューコンベア２８Ａと、この縦スクリューコンベア２８Ａの上端部から穀粒を横方向に搬送して先端の排出口から排出する横スクリューコンベア２８Ｂとを備えている。
【００３５】
〔クローラ走行装置〕
クローラ走行装置３は、機体フレーム４に固定されたトラックフレーム２９と、機体前部側に位置する駆動輪３０と、機体前後方向に並ぶ複数の接地転輪３１と、機体後部側に位置する緊張輪３２と、トラックフレーム２９に支持された外れ止め用のガイド部材３３と、無端状のクローラベルト３４とを備えている。
【００３６】
図１３に示すように、クローラベルト３４には芯金３５が埋め込まれており、芯金３５から内周側に突出する芯金突起３６が形成されている。クローラベルト３４には、駆動輪３０の係止爪３７が嵌まり込む係合孔３８が形成され、芯金突起３６は係合孔３８の幅方向両側に夫々形成されている。そして、この芯金突起３６は、突出方向先端側が幅方向内方側に屈曲する形状になっている。
【００３７】
このように構成することで、例えば、走行中にクローラベルト３４が斜め姿勢になった場合、芯金突起３６がガイド部材３３に接当してクローラベルト３４が抜け外れることを防止することができる。
【００３８】
芯金突起３６の形状としては、上記構成に代えて、図１４に示すように、突出方向先端側が幅方向外方側に屈曲する形状にしてもよい。この構成であれば、クローラベルト３４が斜め姿勢になった場合に、芯金突起３６が外転輪式の接地転輪３１に接当してクローラベルト３４が抜け外れることを防止することができる。
【００３９】
尚、図１３，１４に示す例では、幅方向両側の芯金突起３６の夫々が屈曲する構成としたが、この構成に代えて、機体横方向外方側に位置するもの（例えば、右側のクローラ走行装置３であれば右側の芯金突起３６、左側のクローラ走行装置３であれば左側の芯金突起３６）のみが屈曲する構成としてもよい。
【００４０】
〔作物案内部材〕
図２では図示していないが、このコンバインでは、刈取部１１において、刈取装置１６よりも前方側に突出して、植立作物の条間に入り込み、絡み合った植立作物の穂先側を掬い上げるように持ち上げ案内する作物案内部材４０を装着することができる。この作物案内部材４０は、対象作物として、トウモロコシ等を収穫する際に用いられる。
【００４１】
作物案内部材４０は、図１１，１２に示すように、上部に前後方向に長い小径丸棒材からなる上側案内部４１が備えられ、下部には、上側案内部４１に連結されるとともに支持台４２に連結される板状の縦板部４３が備えられている。又、縦板部４３の上下中間部から後方側に向けて延びる後側案内部４４が備えられている。支持台４２は刈取装置１６に共締め固定されている。
【００４２】
上側案内部４１は、地面に近い低い位置から刈取装置１６よりも大きく上昇した高い位置まで案内するように前後に長く斜め姿勢に設けられている。後側案内部４４は、刈取装置１６に対応する箇所を作物が通過する際に、作物の穂先側が刈取装置１６に接触しないように、刈取装置１６よりも少し高い位置に設けられている。上側案内部４１の先端部には、左右の両側の作物を案内面によって梳き分けるように案内する梳き分け部材４５が備えられている。
【００４３】
〔穀稈搬送装置〕
図１に示すように、穀稈搬送装置１２は、刈取部１１の後端部から脱穀装置８の穀稈投入部にわたって延びる状態で設けられ、穀稈搬送用の筒型の搬送ケース５０と、その搬送ケース５０の内部に位置するチェーン回動式の搬送機構５１とを備えている。
【００４４】
図３，４に示すように、搬送ケース５０は、底面部５０ａと、左右一対の側壁部５０ｂと、天板部５０ｃとを備えて、略角筒状に構成されている。搬送ケース５０の搬送始端側（前端側）には、穀稈導入口５２が形成されている。穀稈導入口５２は、刈取部１１の送出口に連通している。搬送ケース５０の搬送終端側（後端側）には、穀稈送出口５３が形成されている。穀稈送出口５３は、脱穀装置８の穀稈投入部に連通している。
【００４５】
チェーン回動式の搬送機構５１について説明する。
図３，４に示すように、搬送ケース５０の搬送方向下手側すなわち機体後部側に、横向きの下手側回転軸５４が架設され、搬送ケース５０の搬送方向上手側すなわち機体前部側に、横向きの上手側回転軸５５が架設されている。下手側回転軸５４には、軸芯方向に間隔をあけて一対の下手側輪体としての従動スプロケット５６が備えられている。上手側回転軸５５には、軸芯方向に間隔をあけて一対の上手側輪体としての駆動スプロケット５７が備えられている。従動スプロケット５６及び駆動スプロケット５７は、外周部に所定間隔をあけて径方向外方に突出する複数の噛み合い爪５８を備えている（図６，７参照）。
【００４６】
一対の従動スプロケット５６の夫々と一対の駆動スプロケット５７の夫々とに亘って一対の搬送用無端回動チェーン５９が巻回されている。一対の搬送用無端回動チェーン５９には回動方向に沿って間隔をあけて複数の搬送部材６０が横向きに架設されている。
【００４７】
そして、上手側回転軸５５に搬送駆動用の動力が伝達され、且つ、駆動スプロケット５７が上手側回転軸５５に一体回転可能に支持されている。又、一対の従動スプロケット５６が、各別に、下手側回転軸５４に対して相対回転可能に支持されている。このような構成のチェーン式の搬送機構５１では、一対の搬送用無端回動チェーン５９が回動駆動され、搬送部材６０が刈取穀稈に対して掻込み作用して、刈取穀稈が搬送用無端回動チェーン５９と搬送ケース５０の底面部５０ａとの間に掻き込まれる。刈取穀稈は搬送部材６０によって後方上方に係止搬送され、穀稈送出口５３から後方に送り出されて脱穀装置８に供給される。
【００４８】
搬送部材６０の左右方向の長さは、穀稈導入口５２の横幅よりも短く形成されており、左右両側端部箇所の下部には、搬送部材６０による掻込み作用を受けない領域がある。そして、この領域には、刈取穀稈を搬送部材６０による掻込み作用領域に向けて送り込み案内する送り込み案内体１３０が設けられている。送り込み案内体は、平面視で略Ｕ字形の板体にて構成され、刈取穀稈を左右方向中央側へ寄せ集めるように案内する。
【００４９】
穀稈搬送装置１２の搬送方向下手側箇所における支持構造について説明する。
図３，６に示すように、下手側回転軸５４を回動自在に支持する左右両側の支持筒部６１が左右一対の支点ブラケット６２を介して横軸心Ｐ１周りで相対回動自在に脱穀装置８の前壁部に支持されている。搬送ケース５０の左右両側の側壁部５０ｂが左右の支持筒部６１に夫々一体的に連結されている。従って、搬送ケース５０全体が横軸心Ｐ１周りで上下揺動自在に脱穀装置８に支持されている。そして、搬送ケース５０の搬送方向上手側には刈取部１１が一体的に連結固定されているので、刈取部１１と穀稈搬送装置１２とを含む刈取搬送部２の全体が、横軸心Ｐ１周りで上下揺動自在に脱穀装置８に支持される構成となっている。図１に示すように、刈取搬送部２は、油圧シリンダ６３の伸縮操作により横軸心Ｐ１周りで上下揺動操作される。
【００５０】
図６に示すように、下手側回転軸５４は、左右両側の支持筒部６１に対してベアリング６４を介して回動自在に支持されている。一対の従動スプロケット５６は、下手側回転軸５４に対して相対回転可能に外挿支持されている。この実施形態では、下手側回転軸５４は断面形状が六角形に形成されており、従動スプロケット５６が備えられる箇所には、下手側回転軸５４の外周部に外周形状が円形の筒部材６５が外挿されている。筒部材６５の外周部にベアリング６６を介して従動スプロケット５６が支持されている。筒部材６５は、径方向に沿って螺合装着されるボルト６７によって下手側回転軸５４に締め付け固定されている。
【００５１】
駆動スプロケット５７の支持構造について説明する。
図７に示すように、上手側回転軸５５は、筒状に形成され、横方向（機体左右方向）に延びる状態で備えられている。搬送ケース５０における左右の側壁部５０ｂの夫々の内面側に支持部材６８が設けられている。上手側回転軸５５の左右両側の軸端部がベアリング６９を介して左右の支持部材６８に回転可能に支持されている。
【００５２】
図３に示すように、上手側回転軸５５には、横方向に間隔をあけて外周部に一体回転可能に一対の駆動スプロケット５７が取付けられている。そして、上手側回転軸５５の外周部に同芯円上に位置する中空円筒形の筒部を備えたドラム７１が、上手側回転軸５５と一体回転可能に設けられている。図７に示すように、ドラム７１には、搬送ケース５０の横方向両側の側壁部５０ｂに近接する横方向両側の駆動スプロケット５７（この実施形態では、左右両側の駆動スプロケット５７）よりも横方向外方側に位置する軸端側ドラム７２と、横方向両側の駆動スプロケット５７よりも横方向中央側に位置する中央側ドラム７３とが備えられている。
【００５３】
左右両側の軸端側ドラム７２には、中空円筒状の筒部７２ａと、上手側回転軸５５の外周部に外嵌されるボス部７２ｂと、軸芯方向一端側（幅方向中央側）において筒部７２ａとボス部７２ｂに夫々連結される円板７２ｃと、径方向に沿って放射状に延びて筒部７２ａとボス部７２ｂとに夫々連結される複数の補強リブ７２ｄとが備えられている。
【００５４】
中央側ドラム７３には、中空円筒形の筒部７３ａと、筒部７３ａの軸芯方向両側端部に固定された円板７３ｂと、軸芯方向中間部において外周部に沿って延びる縦向き姿勢の補強部材７３ｃとが備えられている。円板７３ｂは、径方向内方側端部が上手側回転軸５５に一体的に連結され、径方向外方側端部が筒部７３ａに一体的に連結されている。そして、左右両側の軸端側ドラム７２の円板７２ｃと、左右の駆動スプロケット５７と、中央側ドラム７３の左右両側の円板７３ｂとが夫々、共締め連結される状態で複数のボルト７４で連結固定されている。
【００５５】
従って、左右両側の軸端側ドラム７２、一対の駆動スプロケット５７、中央側ドラム７３、及び、上手側回転軸５５の夫々が一体的に連結された状態で、横軸芯Ｐ２周りで回転可能に左右の支持部材６８に支持されている。
【００５６】
図９に示すように、中央側ドラム７３における筒部７３ａと円板７３ｂとの連結箇所では、筒部７３ａが軸芯方向外方側に少しだけ突出する突出部７５が形成されている。又、駆動スプロケット５７の側面における前記突出部７５が対向する箇所には、軸芯方向に凹入する周溝７６が形成されている。筒部７３ａの突出部７５が駆動スプロケット５７の周溝７６に対して軸芯方向に入り込むことにより、それらが軸芯方向に重なり合う重合部Ｇが構成されている。
【００５７】
このような重合部Ｇが形成されることで、刈取穀稈が掻き込まれるときに、駆動スプロケット５７の側面と中央側ドラム７３の端部との間に刈取穀稈が挟み込まれて搬送詰りを起すおそれが少ないものになる。
【００５８】
左右両側の軸端側ドラム７２の外方側には穀稈の巻付き防止用のスクレーパ７７が設けられ、軸端側ドラム７２の外周部への刈取穀稈の巻付きや軸端側ドラム７２と駆動スプロケット５７の側面との間への刈取穀稈の挟み込みを防止するようにしている。左右両側のスクレーパ７７は、支持部材６８に固定された状態で設けられている。
【００５９】
上手側回転軸５５は、搬送ケース５０に対して、横向き姿勢を維持しながら搬送方向に沿って位置変更調節可能に支持されている。具体的には、上手側回転軸５５を回転自在に支持する左右の支持部材６８が、搬送ケース５０に対して搬送方向の位置を変更調節可能に支持されている。
【００６０】
説明を加えると、図７に示すように、左右の支持部材６８は、夫々、搬送方向に位置を異ならせた状態で３個のボルト７８によって搬送ケース５０の側壁部５０ｂに連結固定されている。そして、図４，５に示すように、搬送ケース５０の側壁部５０ｂに形成されるボルト７８が挿通可能な挿通孔８０は搬送方向に長い長孔に形成されている。
【００６１】
３本のボルト７８のうちの最搬送方向下手側のボルト７８とネジ受け部材８１とに亘って操作ネジ軸８２が装着されている。操作ネジ軸８２とボルト７８とは、連結部材８３を介して連結されている。連結部材８３とボルト７８とは、相対回転可能で且つ搬送方向に一体的に移動可能に連結されている。ネジ受け部材８１は側壁部５０ｂに固定されており、操作ネジ軸８２は、ネジ受け部材８１の両側に装着されたナット８４で締め付けることにより位置固定状態で支持される。
【００６２】
通常作業時は、左右の支持部材６８を３個のボルト７８によって搬送ケース５０の側壁部５０ｂに締め付けて連結する。そして、３個のボルト７８を緩め状態にして、支持部材６８の側壁部５０ｂに対する固定を解除した状態で、支持部材６８を搬送方向に沿ってスライド移動させることができる。このとき、搬送ケース５０の左右の側壁部５０ｂに形成される挿通孔８０は同じ形状の長孔であるから、上手側回転軸５５が横向き姿勢を維持したまま搬送方向の位置を変更調節することが可能である。
【００６３】
上手側回転軸５５には、軸内方側に軸芯方向にシフト可能で且つ一体回転可能な内側軸部８５が備えられている。図７，９に示すように、内側軸部８５は、上手側回転軸５５の右側端部に位置する状態で備えられ、通常使用状態では、右側部が搬送ケース５０の右側の側壁部５０ｂよりも外方に突出している。そして、内側軸部８５と上手側回転軸５５とが一体回転可能にスプライン嵌合している。内側軸部８５の左側端部に設けられた係止部８６が上手側回転軸５５の内周部に形成された段差部８７に係止して、それ以上の外方側へのスライドが規制されている。
【００６４】
内側軸部８５の外方突出部には、カラー部材８８と入力スプロケット８９が外嵌装着され、スナップリング９０により抜け止めされている。これにより内側軸部８５が外方側へスライドすることが規制されている。この状態で、カラー部材８８の端部が上手側回転軸５５の端部に接当して、カラー部材８８と入力スプロケット８９とが、スナップリング９０と上手側回転軸５５の端部とにより挟まれた状態で固定され、軸芯方向の位置決めが行われている。
【００６５】
上手側回転軸５５を搬送ケース５０に組み付ける際には、左右両側の軸端側ドラム７２、駆動スプロケット５７、中央側ドラム７３、及び、上手側回転軸５５の夫々が一体的に連結され、さらに、支持部材６８を含めて予め組み付けられた状態のユニット状の組物を、左右の側壁部５０ｂの間に上方から入れ込むことで装着することができる。
【００６６】
そのとき、図８に実線で示すように、内側軸部８５を搬送ケース５０内に収まるように内方側にスライドさせておくことで、ユニット状の組物を左右の側壁部５０ｂの間に入れ込むことができる。左右の側壁部５０ｂの間に入れ込んだのち、左右両側から複数のボルト７８で側壁部５０ｂと支持部材６８とを締結固定する。そして、内側軸部８５の軸端に形成されたねじ穴９１に図示しないボルトを装着して、内側軸部８５を側壁部５０ｂから外方に引き出し、引き出された内側軸部８５の外方突出部にカラー部材８８と入力スプロケット８９とを外嵌装着してスナップリング９０により抜け止めする。
【００６７】
伝動構造について説明する。
図６に示すように、下手側回転軸５４は、搬送ケース５０の左右両側において横側外方に突出している。下手側回転軸５４の左側（横方向他方側の一例）の軸端部には、搬送ケース５０の左側の側壁部５０ｂから外方に突出する突出部５４Ｌが備えられている。下手側回転軸５４の右側（横方向一方側の一例）の軸端部には、搬送ケース５０の右側の側壁部５０ｂから外方に突出する突出部５４Ｒが備えられている。左側の突出部５４Ｌには、エンジンからの動力が伝動ベルト９２を介して伝達される入力プーリ９３が備えられている。右側の突出部５４Ｒには、刈取部７の各部に動力を伝達するための出力スプロケット９４が備えられている。
【００６８】
図３，５，７に示すように、刈取部１１の後方箇所における穀稈搬送装置１２の前端部の右側（横方向一方側の一例）の箇所に、横向きの伝動軸としての刈取伝動軸９５が備えられている。そして、刈取伝動軸９５には一体回転可能な状態で従動スプロケット９６が備えられている。従動スプロケット９６と出力スプロケット９４とに亘って刈取伝動用無端回動チェーン９７が巻回されている。
【００６９】
下手側回転軸５４の左側の軸端部に伝達された動力が、下手側回転軸５４の右側の軸端部に備えられた出力スプロケット９４から刈取伝動用無端回動チェーン９７及び従動スプロケット９６を介して刈取伝動軸９５に伝達される。従って、出力スプロケット９４、刈取伝動用無端回動チェーン９７、及び、従動スプロケット９６により、下手側回転軸５４に伝達された動力を刈取伝動軸９５に伝達する動力伝達機構９８が構成されている。動力伝達機構９８には、刈取伝動用無端回動チェーン９７に対してテンション操作するテンション機構９９が備えられている。図５に示すように、テンション機構９９は、テンション輪体１００が揺動アーム１０１にて支持され、テンション輪体１００が刈取伝動用無端回動チェーン９７に押圧するように揺動アーム１０１がバネ１０２により揺動付勢されている。
【００７０】
図７に示すように、刈取伝動軸９５の左側部がベアリング１０３を介して支持ブラケット１０４に回動可能に支持されている。支持ブラケット１０４は搬送ケース５０に連結されている。尚、図示はしていないが、刈取伝動軸９５の右側部も同様にベアリングを介して回動可能に固定部に支持される。刈取伝動軸９５の左側部のうちベアリング１０３による支持箇所よりも左方向に突出する箇所に、従動スプロケット９６がスプライン嵌合されて一体回転可能に備えられている。刈取伝動軸９５の左側の軸端部には、従動スプロケット９６に隣接する状態で分岐伝達用スプロケット１０５がスプライン嵌合されて一体回転可能に備えられている。
【００７１】
そして、動力伝達機構９８によって刈取伝動軸９５に伝達される動力を、刈取部１１と上手側回転軸５５とに分岐伝達する動力分岐部１０６が備えられている。動力分岐部１０６は、横向きの中継伝動軸１０７と、刈取伝動軸９５から中継伝動軸１０７に動力を伝達する第一無端回動体としての第一中継用無端回動チェーン１０８と、中継伝動軸１０７から上手側回転軸５５に動力を伝達する第二無端回動体としての第二中継用無端回動チェーン１０９とを有している。
【００７２】
説明を加えると、図７に示すように、搬送ケース５０の右側の側壁部５０ｂの外面側において、上手側回転軸５５から搬送方向下手側に所定距離だけ寄った箇所に、横向き姿勢の中継伝動軸１０７が備えられている。
【００７３】
中継伝動軸１０７は、矩形板状のベース部材１１０に固定されている。ベース部材１１０は、搬送ケース５０の側壁部５０ｂに備えられた支持台１１１に取り付けられている。支持台１１１は、側壁部５０ｂと略平行に延びる状態で側壁部５０ｂに固定されている。ベース部材１１０は、支持台１１１に当て付けられた状態で、４個のボルト１１２によって支持台１１１に連結固定されている。中継伝動軸１０７は、ベース部材１１０から右横側方に向けて片持ち状に突出する状態で、ベース部材１１０に一体的に設けられている。ベース部材１１０と中継伝動軸１０７の基端側箇所との間に一対の補強リブ１１３が設けられている。
【００７４】
中継伝動軸１０７には、ベアリング１１４を介して二連式の回転輪体１１５が外嵌されている。回転輪体１１５は、筒状のボス部１１６と、ボス部１１６の外周部に軸芯方向に間隔をあけて設けられた２つのスプロケット部１１７ａ，１１７ｂとを有している。２つのスプロケット部１１７ａ，１１７ｂのうちの中継伝動軸１０７の先端側に設けられた第一スプロケット部１１７ａと、刈取伝動軸９５に備えられた分岐伝達用スプロケット１０５とに亘って、第一中継用無端回動チェーン１０８が巻回されている。２つのスプロケット部１１７ａ，１１７ｂのうちの中継伝動軸１０７の基端側に設けられた第二スプロケット部１１７ｂと、上手側回転軸５５に備えられた入力スプロケット８９とに亘って、第二中継用無端回動チェーン１０９が巻回されている。
【００７５】
中継伝動軸１０７が、搬送ケース５０に対して、横向き姿勢を維持しながら搬送方向の位置を変更調節可能に支持されている。すなわち、ベース部材１１０及び支持台１１１には、４個のボルト１１２が挿通する挿通孔が形成されている。支持台１１１に形成される挿通孔は、ボルト１１２が挿通可能で且つボルト１１２と略同じ径の丸孔である。これに対して、ベース部材１１０に形成される挿通孔１１９は搬送方向に長い長孔である。
【００７６】
４個のボルト１１２を緩め状態にすると、支持台１１１に対する固定を解除した状態で、ベース部材１１０を搬送方向に沿ってスライド移動させることができる。刈取伝動軸９５は搬送方向の位置は固定であるから、ベース部材１１０の搬送方向の位置を変更調節することにより、中継伝動軸１０７も一体的に位置が変更され、第一中継用無端回動チェーン１０８の張り具合を調整することができる。
【００７７】
又、中継伝動軸１０７の位置を固定している状態で、上手側回転軸５５の搬送方向の位置を変更調節することにより、第二中継用無端回動チェーン１０９の張り具合を調整することができる。具体的には、支持部材６８を搬送ケース５０の側壁部５０ｂに連結固定する３個のボルト６７を、左右両側で緩め状態にして、搬送方向にスライド移動させて、上手側回転軸５５の位置を変更調節することができる。
【００７８】
第二中継用無端回動チェーン１０９の張り具合を適切な状態に調整するために、上手側回転軸５５の位置を変更して固定した状態では、搬送用無端回動チェーン５９の張り具合が常に適切であるとは言えない。そこで、一対の搬送用無端回動チェーン５９に作用するテンション機構１２０が張設範囲の中間位置に備えられている。このテンション機構１２０は、テンション操作力を変更調整可能であり、且つ、テンション操作力を変更した状態で状態固定可能である。
【００７９】
テンション機構１２０について説明する。
図３〜６に示すように、テンション機構１２０は、一対の搬送用無端回動チェーン５９に対して各別に作用する左右のテンション輪体１２１を備えている。左右のテンション輪体１２１は、左右一対の揺動アーム１２２に各別に支持されている。左右の揺動アーム１２２は、搬送ケース５０の左右の側壁部５０ｂの内部に位置している。両側の揺動アーム１２２の基部は、側壁部５０ｂに支軸１２３を介して回転可能に支持されている。
【００８０】
左右のテンション輪体１２１は、揺動アーム１２２が揺動操作されることにより、搬送用無端回動チェーン５９における戻り移動経路を下方から押圧操作する。
【００８１】
左右の揺動アーム１２２の揺動端同士に亘って連結軸１２４が取付けられている。左右の揺動アーム１２２が連結軸１２４によって連動連結され、左右のテンション輪体１２１が連動して揺動することができるように構成されている。連結軸１２４の左右両側の軸端は、搬送ケース５０の左右の側壁部５０ｂの内面に略沿う状態で移動可能に設けられている。
【００８２】
搬送ケース５０の連結軸１２４の軸端に対応する箇所には、揺動アーム１２２の揺動可能範囲にわたる円弧状の長孔状の挿通孔１２５が形成されている。そして、この挿通孔１２５を通過するボルト１２６が座金１２７を介して連結軸１２４の軸端に締め付け固定可能に設けられる。ボルト１２６を締め付けることで、連結軸１２４すなわち左右のテンション輪体１２１の位置を搬送ケース５０に対して固定することができる。従って、左右のテンション輪体１２１は、長孔の範囲内で移動させることで、搬送用無端回動チェーン５９に対するテンション操作力を変更調節可能である。そして、テンション操作力を調節した状態でボルト１２６で締め付けすることで、その状態で固定することができる。
【００８３】
左右のテンション輪体１２１のテンション操作力を搬送ケース５０の外方側から行うための操作具１２８が設けられている。操作具１２８は側壁部５０ｂに形成された長孔状の挿通孔１２９を通して外方に突出しており、作業者はこの操作具１２８を操作することでテンション操作力を調節することができる。尚、図示はしていないが、搬送ケース５０の天板部には開閉蓋が設けられ、作業者はケース内部を目視することができる。
【００８４】
〔別実施形態〕
（１）上記実施形態では、下手側輪体が従動スプロケット５６にて構成されるものを示したが、この構成に代えて、下手側輪体が円筒形状のドラムにて構成されるものでもよい。
【００８５】
（２）上記実施形態では、刈取部１１への動力伝達用の伝動軸９５と上手側回転軸５５とが別体で設けられる構成としたが、これらを一体的に連結した１本の軸で構成してもよい。この場合、１本の軸によって動力分岐部１０６が兼用構成される。
【００８６】
（３）上記実施形態では、中継伝動軸１０７が、搬送ケース５０に対して搬送方向の位置を変更調節可能に支持される構成としたが、この構成に代えて、中継伝動軸１０７が、搬送ケース５０に対して位置固定状態で設けられ、第一中継用無端回動チェーン１０８に対してテンション操作可能なテンション機構を設ける構成としてもよい。
【００８７】
（４）上記実施形態では、上手側回転軸５５が、搬送ケース５０に対して搬送方向の位置を変更調節可能に支持される構成としたが、この構成に代えて、上手側回転軸５５が、搬送ケース５０に対して位置固定状態で設けられ、第二中継用無端回動チェーン１０９に対してテンション操作可能なテンション機構を設ける構成としてもよい。
【００８８】
（５）上記実施形態では、刈取伝動軸９５に伝達される動力を、刈取部１１と上手側回転軸５５とに分岐伝達する動力分岐部１０６が備えられる構成としたが、この構成に代えて、刈取部１１に対する伝動機構と、上手側回転軸５５に対する伝動機構とを各別に独立する形態で備えるものでもよい。
【００８９】
（６）上記実施形態では、一対の搬送用無端回動チェーン５９に作用するテンション機構１２０が、テンション操作力を変更した状態で状態固定可能である構成としたが、この構成に代えて、バネ等によりテンション輪体を移動付勢して、テンション操作力を自動調節するような構成としてもよい。
【００９０】
（７）上記実施形態では、複数の上手側輪体（駆動スプロケット５７）の夫々と中央側ドラム７３とが近接する箇所に重合部Ｇが形成される構成としたが、このような重合部を備えていない構成としてもよい。
【００９１】
（８）上記実施形態では、上手側回転軸５５の外周部にドラム７１が設けられる構成としたが、このようなドラム７１を設けない構成としてもよい。
【００９２】
（９）上記実施形態では、搬送用無端回動チェーン５９が左右一対設けられる構成としたが、このような構成に限らず、搬送用無端回動チェーン５９を左右方向に間隔をあけて３個設けてもよく、４個以上設ける構成としてもよい。この場合、上手側輪体及び下手側輪体も同様に３個あるいは４個以上設ける必要がある。
【産業上の利用可能性】
【００９３】
本発明は、機体前部の刈取部にて刈取られた刈取穀稈を機体後方に向けて搬送する穀稈搬送装置が備えられているコンバインに適用できる。
【符号の説明】
【００９４】
１１          刈取部
１２          穀稈搬送装置
５０          搬送ケース
５４          下手側回転軸
５４Ｒ        突出部
５５          上手側回転軸
５６          下手側輪体
５７          上手側輪体
５８          噛み合い爪
５９          無端回動チェーン
６０          搬送部材
７１          ドラム
７２          軸端側ドラム
７２ａ        筒部
７３          中央側ドラム
７３ａ        筒部
９５          伝動軸
９８          動力伝達機構
１０６        動力分岐部
１０７        中継伝動軸
１０８        第一無端回動体
１０９        第二無端回動体
１２０        テンション機構
Ｇ            重合部
【図１】
2019146517.tif 000003
【図２】
2019146517.tif 000004
【図３】
2019146517.tif 000005
【図４】
2019146517.tif 000006
【図５】
2019146517.tif 000007
【図６】
2019146517.tif 000008
【図７】
2019146517.tif 000009
【図８】
2019146517.tif 000010
【図９】
2019146517.tif 000011
【図１０】
2019146517.tif 000012
【図１１】
2019146517.tif 000013
【図１２】
2019146517.tif 000014
【図１３】
2019146517.tif 000015
【図１４】
2019146517.tif 000016